(57)【要約】【課題】ウェブ上の異物の除去効果を確認することが可能な、ウェブクリーナーおよびウェブクリーナーシステムを提供する。【解決手段】ウェブクリーナー１０は、空気Ａ１を供給する給気ライン２０と、空気Ａ１によって除去されたウェブＷ上の異物Ｆを排出する排出ライン３０とを備えている。また、ウェブＷを走行させるガイドロール２の一部を覆って支持体１１が設けられ、給気ライン２０の給気部２３および排出ライン３０の吸引部３１は、支持体１１により支持されるとともに、ガイドロール２の外周に沿って配置されている。排出ライン３０には、チューブ３５を介してパーティクルカウンタ５０が連結されている。【選択図】図１
2019000797.tif 000002
【特許請求の範囲】
【請求項１】
一端部に給気部を有し、回転するガイドロールに沿って走行するウェブに対して前記給気部から空気を供給して前記ウェブ上の異物を除去する給気ラインと、
一端部に吸引部を有し、前記給気ラインの前記給気部から給気された空気によって除去された前記ウェブ上の前記異物を前記吸引部から吸引して排出する排出ラインと、を備え、
前記ウェブを走行させる前記ガイドロールの一部を覆って支持体が設けられ、
前記給気ラインの前記給気部および前記排出ラインの前記吸引部は、前記支持体により支持されるとともに、前記ガイドロールの外周に沿って配置され、
前記排出ラインに、チューブを介してパーティクルカウンタが連結されている、ウェブクリーナー。
【請求項２】
前記排出ラインは、その途中に曲がり部が形成され、当該曲がり部に前記チューブを介して前記パーティクルカウンタが連結されている、請求項１に記載のウェブクリーナー。
【請求項３】
前記給気部からの空気は、前記ウェブの走行方向に対して反対方向に向かって前記ウェブに対して噴射される、請求項１または２に記載のウェブクリーナー。
【請求項４】
前記吸引部は、前記ガイドロールの外周に沿って前記給気部の上流側に少なくとも複数設けられるとともに、前記給気部の下流側に少なくとも１つ設けられ、前記給気部の上流側に設けられた前記吸引部の数は、前記給気部の下流側に設けられた前記吸引部の数よりも多い、請求項１乃至３のいずれか一項に記載のウェブクリーナー。
【請求項５】
請求項１乃至４のいずれか一項に記載のウェブクリーナーと、
前記パーティクルカウンタに接続された制御装置と、を備え、
前記制御装置は、前記パーティクルカウンタにより測定された前記ウェブの前記異物の量の測定値が所定値よりも高い場合、前記ウェブの走行を停止させる、ウェブクリーナーシステム。
【請求項６】
請求項１乃至４のいずれか一項に記載のウェブクリーナーと、
前記パーティクルカウンタに接続された制御装置と、
前記制御装置に接続された警報装置と、を備え、
前記制御装置は、前記パーティクルカウンタにより測定された前記ウェブの前記異物の量の測定値が所定値よりも高い場合、前記警報装置を駆動し、前記警報装置が警告を発する、ウェブクリーナーシステム。
【発明の詳細な説明】
【技術分野】
【０００１】
本発明は、ウェブクリーナーおよびウェブクリーナーシステムに関する。
【背景技術】
【０００２】
従来から、フィルム塗工の分野では、フィルム塗工前にウェブ上から異物を除去し、塗工されるウェブの品質の安定化を図る方法が開発されている。この際、ウェブ上から異物を除去するために、非接触式のウェブクリーナーが利用される場合がある。このようなウェブクリーナーとしては、例えば、ワーク表面にエアーを吐出してワーク表面に存在する塵芥を吸引除去する除塵装置が提案されている（例えば特許文献１）。
【先行技術文献】
【特許文献】
【０００３】
【特許文献１】特開平１１−１０４５８６号公報
【発明の概要】
【発明が解決しようとする課題】
【０００４】
しかしながら、特許文献１に示す除塵装置では、ウェブ上から異物を除去することは可能であっても、ウェブがどの程度異物に汚染されているのかを把握することは困難である。このため、ウェブ上から異物が十分に除去されていない状態でウェブに塗工を行ってしまう可能性がある。このように、ウェブ上から異物が十分に除去されていない状態でウェブに塗工を行った場合、塗工されたウェブの品質が低下するといった問題点がある。
【０００５】
本発明はこのような点を考慮してなされたものであり、ウェブ上の異物による汚染度合いを確認することが可能な、ウェブクリーナーおよびウェブクリーナーシステムを提供することを目的とする。
【課題を解決するための手段】
【０００６】
本発明は、一端部に給気部を有し、回転するガイドロールに沿って走行するウェブに対して前記給気部から空気を供給して前記ウェブ上の異物を除去する給気ラインと、一端部に吸引部を有し、前記給気ラインの前記給気部から給気された空気によって除去された前記ウェブ上の前記異物を前記吸引部から吸引して排出する排出ラインと、を備え、前記ウェブを走行させる前記ガイドロールの一部を覆って支持体が設けられ、前記給気ラインの前記給気部および前記排出ラインの前記吸引部は、前記支持体により支持されるとともに、前記ガイドロールの外周に沿って配置され、前記排出ラインに、チューブを介してパーティクルカウンタが連結されている、ウェブクリーナーである。
【０００７】
本発明は、前記排出ラインは、その途中に曲がり部が形成され、当該曲がり部に前記チューブを介して前記パーティクルカウンタが連結されている、ウェブクリーナーであるようにしても良い。
【０００８】
本発明は、前記給気部からの空気は、前記ウェブの走行方向に対して反対方向に向かって前記ウェブに対して噴射される、ウェブクリーナーであるようにしても良い。
【０００９】
本発明は、前記吸引部は、前記ガイドロールの外周に沿って前記給気部の上流側に少なくとも複数設けられるとともに、前記給気部の下流側に少なくとも１つ設けられ、前記給気部の上流側に設けられた前記吸引部の数は、前記給気部の下流側に設けられた前記吸引部の数よりも多い、ウェブクリーナーであるようにしても良い。
【００１０】
本発明は、本発明によるウェブクリーナーと、前記パーティクルカウンタに接続された制御装置と、を備え、前記制御装置は、前記パーティクルカウンタにより測定された前記ウェブの前記異物の量の測定値が所定値よりも高い場合、前記ウェブの走行を停止させる、ウェブクリーナーシステムである。
【００１１】
本発明は、本発明によるウェブクリーナーと、前記パーティクルカウンタに接続された制御装置と、前記制御装置に接続された警報装置と、を備え、前記制御装置は、前記パーティクルカウンタにより測定された前記ウェブの前記異物の量の測定値が所定値よりも高い場合、前記警報装置を駆動し、前記警報装置が警告を発する、ウェブクリーナーシステムである。
【発明の効果】
【００１２】
本発明によれば、ウェブ上の異物による汚染度合いを確認することができる。
【図面の簡単な説明】
【００１３】
【図１】図１は、本発明の第１の実施の形態によるウェブクリーナーおよびウェブクリーナーシステムが適用される搬送ラインを示す概略構成図である。
【図２】図２は、本発明の第１の実施の形態によるウェブクリーナーを示す正面図である。
【図３】図３は、本発明の第１の実施の形態によるウェブクリーナーを示す平面図である。
【図４】図４は、本発明の第１の実施の形態によるウェブクリーナーの排出ラインを示す断面図（図１のIV-IV線断面図）である。
【図５】図５は、本発明の第１の実施の形態によるウェブクリーナーに用いられるパーティクルカウンタの測定原理を説明する図である。
【図６】図６は、本発明の第２の実施の形態によるウェブクリーナーシステムを示す概略図である。
【発明を実施するための形態】
【００１４】
（第１の実施の形態）
以下、本発明の第１の実施の形態について、図１乃至図５を参照して説明する。なお、以下の各図において、同一部分には同一の符号を付しており、一部詳細な説明を省略する場合がある。また、以下の各図に示されている構成には、図示と理解のしやすさの便宜上、サイズ及び縮尺等が実物のそれらから変更されている部分が含まれうる。
【００１５】
まず、図１乃至図５により、本発明の第１の実施の形態によるウェブクリーナー１０について説明する。図１は、本発明の第１の実施の形態によるウェブクリーナーおよびウェブクリーナーシステムが適用される搬送ラインを示す概略構成図である。また、図２は、本発明の第１の実施の形態によるウェブクリーナーを示す正面図である。また、図３は、本発明の第１の実施の形態によるウェブクリーナーを示す平面図である。また、図４は、本発明の第１の実施の形態によるウェブクリーナーの排出ラインを示す断面図である。さらに、図５は、本発明の第１の実施の形態によるウェブクリーナーに用いられるパーティクルカウンタの測定原理を説明する図である。
【００１６】
まず、本実施の形態によるウェブクリーナー１０が適用される搬送ライン１について説明する。図１に示すように、搬送ライン１は、例えばフィルム塗工に用いられるウェブＷを走行させるものである。このような搬送ライン１は、回転可能に設けられたガイドロール２を備え、このガイドロール２は、図１において、時計回りに回転するように構成されてウェブＷを走行させるようになっている。このような構成を持つ搬送ライン１によりウェブＷが走行し、ウェブＷに対してその後の工程において塗工処理が行われる。なお、ウェブＷとしては、例えば、ＰＥＴ（ポリエチレンテレフタレート）フィルム、ＴＡＣ（トリアセチルセルロース）、アクリル樹脂フィルム等を用いることができる。
【００１７】
次に、本実施の形態によるウェブクリーナー１０について説明する。ウェブクリーナー１０は、搬送されるウェブＷ上に存在する異物Ｆ（塵、インクカス、ウェブＷの欠片、タンパク質等）を除去するとともに、除去された異物Ｆを収集するためのものである。図１乃至図３に示すように、このようなウェブクリーナー１０は、ガイドロール２に沿って走行するウェブＷに空気Ａ１を供給する給気ライン２０と、給気ライン２０から供給された空気Ａ１によって除去されたウェブＷ上の異物Ｆを吸引して排出する排出ライン３０とを備えている。また、ウェブクリーナー１０は、ウェブＷと、ウェブＷを走行させるガイドロール２の一部とを覆って設けられた支持体１１を更に有している。
【００１８】
具体的に説明すると、給気ライン２０は、空気Ａ１の流れを発生させる給気装置２１と、給気装置２１にその基端が連結され、発生した空気Ａ１を通過させる給気ダクト２２と、給気ダクト２２の先端に、２つの接続部２４を介して連結された単一の給気部２３とを有し、この給気部２３から給気ダクト２２を通過した空気Ａ１をウェブＷに対して供給するようになっている。このうち給気装置２１は、例えばブロワ、コンプレッサー等から構成されている。本実施の形態において、給気ライン２０の給気部２３は、ガイドロール２の軸方向に延在し、かつこの軸方向に沿って配置された複数の給気口２３ａを有し、上述のように給気部２３に２つの接続部２４を介してエアチューブ等からなる給気ダクト２２が連結されている。
【００１９】
また、給気部２３は、支持体１１に支持されるとともに、ガイドロール２の近傍に配置されており、上述のようにガイドロール２の軸方向に延在している。この給気部２３は例えばエアナイフ等により構成されており、給気ダクト２２から供給された空気Ａ１を、複数の給気口２３ａから、ガイドロール２の軸方向においてウェブＷに対して一様に吹き付ける。とりわけ、給気部２３がガイドロール２の近傍に配置されているため、給気部２３の給気口２３ａからガイドロール２に沿って走行するウェブＷに対して効果的に空気Ａ１を吹き付けることができる。また、このような給気部２３の給気口２３ａは、ウェブＷの走行方向に対して反対方向に向かって、ウェブＷに対して空気Ａ１を吹き付けるように構成され、これにより、ウェブＷに吹き付けられる空気Ａ１のウェブＷに対する相対的な流速を大きくすることができ、ウェブＷ上から効果的に異物Ｆを除去することができる。このように、給気部２３が給気口２３ａから空気Ａ１をウェブＷ上に吹き付けることにより、ウェブＷ上に存在する異物ＦをウェブＷ上から吹き飛ばし、当該異物ＦをウェブＷの近傍に浮遊させている。
【００２０】
次に、ウェブクリーナー１０の排出ライン３０について述べる。図１乃至図３に示すように、排出ライン３０は、ウェブＷの近傍の空気を吸引するようガイドロール２の外周に沿って配置された複数、例えば４つの吸引部３１と、各々の吸引部３１に連結され、吸引部３１から吸引された空気を通過させる排出ダクト３２と、排出ダクト３２に連結され、異物Ｆを収集する収集装置３３とを有している。
【００２１】
このうち、４つの吸引部３１は、図１に示すように、ガイドロール２の軸方向から見た際に、支持体１１に支持されるとともに、ガイドロール２の外周に沿って配置されている。また、各々の吸引部３１は、ガイドロール２の軸方向に沿って配置された４つの吸引口３１ａを有している。これにより、各吸引部３１の吸引口３１ａからウェブＷの近傍の空気が排出ダクト３２内に吸引され、ウェブＷの近傍に浮遊している異物Ｆが排出ダクト３２に吸引される。また、このように、吸引部３１をガイドロール２の外周に沿って配置することにより、空気Ａ１によってウェブＷから除去された異物Ｆを、吸引部３１の吸引口３１ａにより効率良く吸引することができる。
【００２２】
ところで、４つの吸引部３１と、単一の給気部２３は、ガイドロール２の外周に沿って配置され、このうち吸引部３１は、ガイドロール２の外周に沿って給気部２３の上流側（図１の右側）に少なくとも複数設けられるとともに、給気部２３の下流側（図１の左側）に少なくとも１つ設けられ、給気部２３の上流側に設けられた吸引部３１の数は、給気部２３の下流側に設けられた吸引部３１の数よりも多くなっている。
【００２３】
本実施の形態においては、ガイドロール２の軸方向から見た際に、給気部２３の上流側には３つの吸引部３１が設けられており、給気部２３の下流側には１つの吸引部３１が設けられている。このように、給気部２３の上流側に、給気部２３の下流側よりも多くの吸引部３１を設けることにより、ウェブＷの走行方向に対して反対方向に向かって吹き付けられ、ウェブＷ上から異物Ｆを除去した空気Ａ１を効率良く吸引することができる。なお、本実施の形態においては、ガイドロール２の軸方向から見た際に、４つの吸引部３１が設けられているが、吸引部３１の数は任意であり、１つ、２つまたは３つであっても良く、５つ以上であっても良い。また、図示された例においては、各吸引部３１は、ガイドロール２の軸方向に沿って設けられた４つの吸引口３１ａを有しているが、各吸引部３１は、単一の吸引口３１ａを有していても良く、ガイドロール２の軸方向に沿って設けられた２つ以上の任意の数の吸引口３１ａを有していても良い。
【００２４】
図２に示すように、排出ダクト３２は、吸引部３１の各吸引口３１ａに連結された第１排出ダクト３２ａと、第１排出ダクト３２ａの下流に設けられ、互いに隣り合う第１排出ダクト３２ａが連結する第２排出ダクト３２ｂと、第２排出ダクト３２ｂの下流に設けられ、互いに隣り合う第２排出ダクト３２ｂが連結する第３排出ダクト３２ｃとを有している。このような第１排出ダクト３２ａ、第２排出ダクト３２ｂおよび第３排出ダクト３２ｃは、例えば、塩化ビニル、アルミニウム等からなる配管等により構成されている。
【００２５】
また、第３排出ダクト３２ｃの後端には、収集装置３３が連結されている。この収集装置３３は、例えばブロワ、コンプレッサー等から構成されている。
【００２６】
また、本実施の形態においては、第３排出ダクト３２ｃには、その途中に曲がり部３４が形成されており、第３排出ダクト３２ｃは、全体として略Ｌ字形状に形成されている。このような第３排出ダクト３２ｃに導かれた空気は、曲がり部３４において乱流を起こしながら、第３排出ダクト３２ｃ内を通過する。これにより、空気の進行方向に垂直な断面（例えば、図４に示す断面、以下、垂直断面と記す）において、第３排出ダクト３２ｃ内の空気中に存在する異物Ｆを概ね均一に分布させることができる。とりわけ、図４に示すように、曲がり部３４内においては、曲がり部３４内の空気に働く遠心力により、二次流れ（矢印参照）が発生する。これにより、垂直断面において、第３排出ダクト３２ｃ内の異物Ｆを更に均一に分布させることができる。なお、第３排出ダクト３２ｃの形状は、コの字形状またはＳ字形状等であっても良い。
【００２７】
また、第３排出ダクト３２ｃの曲がり部３４には、チューブ３５を介してパーティクルカウンタ５０が連結されている。なお、チューブ３５は、第３排出ダクト３２ｃのうち、曲がり部３４の下流側に連結されていても良い。この場合、パーティクルカウンタ５０が、曲がり部３４によって空気中に存在する異物Ｆが概ね均一に分布された第３排出ダクト３２ｃ内の空気を吸引することができる。このため、後述するように、ウェブＷ上から除去された異物Ｆの量の目安として利用する、パーティクルカウンタ５０が測定した異物Ｆの量の信頼性を向上させることができる。
【００２８】
パーティクルカウンタ５０は、第３排出ダクト３２ｃ内の空気を吸引することにより、第３排出ダクト３２ｃ内に存在する異物Ｆの量を測定するものである。このパーティクルカウンタ５０としては、市販のレーザーパーティクルカウンタを用いることができる。
【００２９】
本実施の形態においては、パーティクルカウンタ５０は、光散乱方式により、第３排出ダクト３２ｃ内に存在する異物Ｆの量を測定する。すなわち、図５に示すように、まず、吸引装置５１により、チューブ３５を介して第３排出ダクト３２ｃ内の空気Ａ２を吸引し、レーザー装置５２により、吸引された空気Ａ２に対してレーザー光Ｌ１を照射する。この際、空気Ａ２内の異物Ｆにレーザー光Ｌ１が当たると、異物Ｆによってレーザー光Ｌ１が散乱する。このとき、散乱した光Ｌ２は、集光レンズ５３を介して検出器５４に入射する。検出器５４が散乱した光Ｌ２を検出すると、検出器５４は、検出した散乱した光Ｌ２の情報を電気信号に変換し、図示しない表示装置に送信する。そして、表示装置は、異物Ｆの粒径を電気信号（電圧）の強さで表示し、異物Ｆの個数を電気信号の数で表示する。このようにして、パーティクルカウンタ５０は、第３排出ダクト３２ｃ内に存在する異物Ｆの量を測定する。そして、パーティクルカウンタ５０が測定した異物Ｆの量は、給気ライン２０から給気された空気Ａ１によって除去されたウェブＷ上の異物Ｆの量の目安として利用される。なお、パーティクルカウンタ５０が計測した異物Ｆの量の測定値は、後述する制御装置５５に送信される。
【００３０】
ところで、図１に示すように、上述したウェブクリーナー１０と、上述したパーティクルカウンタ５０に接続された制御装置５５とにより、ウェブクリーナーシステム１０Ａが構成されている。このうち制御装置５５には、パーティクルカウンタ５０から異物Ｆの量の測定値が送信されており、制御装置５５は、当該測定値が所定値よりも高い場合、ウェブＷの走行を停止する。ここで、所定値とは、ウェブＷの走行を停止すべきか否かを判断するための基準値である。このような所定値は、ウェブＷの要求品質に応じて任意に設定することができるが、ウェブＷの品質を担保できる程度の、異物Ｆの粒径の値および個数のうち少なくとも一方の最小値とすることができる。
【００３１】
次に、このような構成からなる本実施の形態の作用および効果について説明する。ここでは、ウェブクリーナー１０の使用方法について説明する。
【００３２】
（ウェブクリーナーの使用方法）
まず、搬送ライン１にウェブＷが供給される。供給されたウェブＷは、ガイドロール２に沿って走行する。
【００３３】
次に、支持体１１の近傍において、給気ライン２０から供給された空気Ａ１によって、ウェブＷ上の異物Ｆが除去される。この場合、まず、給気装置２１から供給された空気Ａ１が給気ダクト２２を通過し、給気部２３の給気口２３ａへ送られる。そして、走行するウェブＷに対して給気部２３の給気口２３ａから空気Ａ１が供給される。この際、給気部２３の給気口２３ａからは、ガイドロール２の軸方向において、ウェブＷに対して一様に空気Ａ１が吹き付けられ、ウェブＷ上に存在する異物ＦをウェブＷ上から吹き飛ばす。また、給気部２３がガイドロール２の近傍に配置されているため、ガイドロール２に沿って走行するウェブＷに対して効果的に空気Ａ１を吹き付けることができる。また、給気部２３の給気口２３ａからは、ウェブＷの走行方向に対して反対方向に向かって、ウェブＷに対して空気Ａ１が吹き付けられる。これにより、ウェブＷに吹き付けられる空気Ａ１のウェブＷに対する相対的な流速が大きくなり、ウェブＷ上から異物Ｆが効果的に除去される。このようにして、ウェブＷ上の異物Ｆが除去される。そして、除去された異物Ｆは、ウェブＷの近傍に浮遊する。
【００３４】
ウェブＷの近傍に浮遊した異物Ｆは、排出ライン３０により排出される。この際、ウェブＷの近傍の空気は、排出ライン３０により、吸引部３１から吸引されて排出される。とりわけ、４つの吸引部３１が、ガイドロール２の外周に沿って配置され、各吸引部３１は、ガイドロール２の軸方向に配置された４つの吸引口３１ａを有するため、ウェブＷの近傍の空気のうち、空気Ａ１によってウェブＷ上から除去された異物Ｆが浮遊する空気を吸引部３１の吸引口３１ａによって効率良く吸引することができる。また、給気部２３の上流側に設けられた吸引部３１の数は、給気部２３の下流側に設けられた吸引部３１の数よりも多くなっている。これにより、吸引部３１より、ウェブＷの走行方向に対して反対方向に向かって吹き付けられ、ウェブＷ上から異物Ｆを除去した空気Ａ１が効率良く吸引される。
【００３５】
吸引部３１の吸引口３１ａから吸引されたウェブＷの近傍の空気は、第１排出ダクト３２ａおよび第２排出ダクト３２ｂを通過し、第３排出ダクト３２ｃに導かれる。そして、第３排出ダクト３２ｃに導かれた空気は、第３排出ダクト３２ｃに形成された曲がり部３４に進入する。
【００３６】
曲がり部３４に導かれた空気は、乱流を起こしながら曲がり部３４内を通過する。これにより、垂直断面において、曲がり部３４内の空気中に存在する異物Ｆを概ね均一に分布させることができる。また、上述したように、曲がり部３４内においては、曲がり部３４内の空気に働く遠心力により、二次流れが発生する。これにより、垂直断面において、曲がり部３４内の異物Ｆを更に均一に分布させることができる。このため、チューブ３５の先端を含む垂直断面を、例えば単位時間当たりに通過する異物Ｆのうち、概ね一定の割合の異物Ｆをパーティクルカウンタ５０内に吸引させ続けることができる。この結果、パーティクルカウンタ５０が測定した異物Ｆの量と、ウェブＷ上から除去された異物Ｆの量との比を概ね一定とすることができる。このため、パーティクルカウンタ５０が測定した異物Ｆの量を、ウェブＷ上から除去された異物Ｆの量の目安として利用することができる。
【００３７】
曲がり部３４に進入した空気の一部は、チューブ３５を介して、パーティクルカウンタ５０内に吸引される。この際、パーティクルカウンタ５０内では、吸引された空気Ａ２内に存在する異物Ｆの量が測定される。この場合、上述したように、吸引された空気Ａ２に対してレーザー装置５２によりレーザー光Ｌ１を照射する。この際、空気Ａ２内の異物Ｆにレーザー光Ｌ１が当たると、異物Ｆによってレーザー光Ｌ１が散乱する。散乱した光Ｌ２は、集光レンズ５３を介して検出器５４に入射し、検出器５４は検出した散乱した光Ｌ２の情報を電気信号に変換し、図示しない表示装置に送信する。そして、表示装置は、異物Ｆの粒径を電気信号（電圧）の強さで表示し、異物Ｆの個数を電気信号の数で表示する。このようにして、パーティクルカウンタ５０が、曲がり部３４内に存在する異物Ｆの量を測定し、測定された異物Ｆの量についての測定値は、制御装置５５に送信される。
【００３８】
制御装置５５に測定値が送信されると、制御装置５５によって、当該測定値が所定値よりも高いか否かが判断される。制御装置５５が当該測定値を所定値よりも高いと判断した場合、制御装置５５はウェブＷの走行を停止させる。ここで、パーティクルカウンタ５０により測定された異物Ｆの量としての測定値が所定の値よりも高い場合、走行しているウェブＷ上に存在する異物Ｆの量が多いと判断できる。この場合、ウェブＷの走行を停止させ、このような異物Ｆの付着量が多いウェブＷを新しいウェブに交換する。これにより、ウェブの品質の安定化を図ることができる。
【００３９】
一方、制御装置５５が当該測定値を所定値よりも低いと判断した場合には、制御装置５５はウェブＷの走行を停止させない。すなわち、パーティクルカウンタ５０により測定された異物Ｆの量としての測定値が所定の値よりも低い場合、走行しているウェブＷ上に存在する異物Ｆの量が少ないと判断できる。この場合においては、給気装置２１から供給される空気Ａ１の流量を減らしても良い。これにより、空気の使用量を低減でき、コストを削減することができる。
【００４０】
また、曲がり部３４に進入した空気のうち、パーティクルカウンタ５０内に吸引されなかった空気は収集装置３３により吸引され、収集装置３３内に空気中の異物Ｆが収集される。
【００４１】
以上のように本実施の形態によれば、単一の給気部２３と４つの吸引部３１が、支持体１１により支持されるとともに、ガイドロール２の外周に沿って配置されている。これにより、給気部２３がガイドロール２に沿って走行するウェブＷに対して効果的に空気Ａ１を吹き付けることができ、空気Ａ１によってウェブＷから除去された異物Ｆを、吸引部３１が効率良く吸引することができる。また、排出ライン３０に、チューブ３５を介してパーティクルカウンタ５０が連結されている。これにより、ウェブＷ上から除去された異物Ｆの量を測定することができる。このため、ウェブＷ上の異物Ｆによる汚染度合いを確認することができる。この場合、例えばパーティクルカウンタ５０により測定された異物Ｆの量としての測定値が所定の値よりも高い場合、制御装置５５が搬送ライン１の図示しない駆動源に対してウェブ停止信号を発してウェブＷの走行を停止させ、異物Ｆの付着量が大きいウェブＷを新しいウェブに交換することができる。これにより、ウェブの品質の安定化を図ることができる。一方、例えばパーティクルカウンタ５０により測定された異物Ｆの量としての測定値が所定の値よりも小さい場合、制御装置５５はウェブＷの走行を停止させない。この場合、給気装置２１から供給される空気Ａ１の流量を減らしても良い。これにより、空気の使用量を低減でき、コストを削減することができる。
【００４２】
また、本実施の形態によれば、排出ライン３０は、その途中に曲がり部３４が形成されている。これにより、曲がり部３４に導かれた空気は、曲がり部３４において乱流を起こしながら、曲がり部３４内を通過する。また、曲がり部３４内においては、曲がり部３４内の空気に働く遠心力により、二次流れが発生する。これにより、垂直断面において、曲がり部３４内の異物Ｆを均一に分布させることができる。また、当該曲がり部３４にチューブ３５を介してパーティクルカウンタ５０が連結されているため、垂直断面において、曲がり部３４内の異物Ｆが均一に分布された状態で、曲がり部３４内の空気がパーティクルカウンタ５０内に吸引される。このため、例えば単位時間当たりに、チューブ３５の先端を含む垂直断面を通過する異物Ｆのうち、概ね一定の割合の異物Ｆを後述するパーティクルカウンタ５０に吸引させ続けることができる。この結果、パーティクルカウンタ５０が測定した異物Ｆの量と、ウェブＷ上から除去された異物Ｆの量との比を概ね一定とすることができる。このため、ウェブＷ上から除去された異物Ｆの量の目安として利用する、パーティクルカウンタ５０が測定した異物Ｆの量の信頼性を向上させることができる。
【００４３】
また、本実施の形態によれば、給気部２３が、ウェブＷの走行方向に対して反対方向に向かって、ウェブＷに対して空気Ａ１を吹き付ける。これにより、ウェブＷに吹き付けられる空気Ａ１のウェブＷに対する相対的な流速を大きくすることができ、ウェブＷ上から効果的に異物Ｆを除去することができる。
【００４４】
また、本実施の形態によれば、吸引部３１が、ガイドロール２の外周に沿って給気部２３の上流側に少なくとも複数設けられるとともに、給気部２３の下流側に少なくとも１つ設けられ、給気部２３の上流側に設けられた吸引部３１の数が、給気部２３の下流側に設けられた吸引部３１の数よりも多くなっている。これにより、吸引部３１が、ウェブＷの走行方向に対して反対方向に向かって吹き付けられ、ウェブＷ上から異物Ｆを除去した空気Ａ１を効率良く吸引することができる。
【００４５】
（第２の実施の形態）
次に、図６を用いて、本発明の第２の実施の形態におけるウェブクリーナーシステム１０Ａについて説明する。
【００４６】
図６に示す第２の実施の形態においては、制御装置に接続された警報装置を備えた点が主に異なるが、他の構成は、図１乃至図５に示す第１の実施の形態と略同一である。なお、図６において、図１乃至図５に示す第１の実施の形態と同一部分には同一符号を付して詳細な説明は省略する。
【００４７】
図６に示すように、本実施の形態においては、ウェブクリーナーシステム１０Ａは、制御装置５５に接続された警報装置５６を備えている。この警報装置５６は、制御装置５５によって駆動されることにより、警告を発する。
【００４８】
本実施の形態においては、制御装置５５は、パーティクルカウンタ５０により測定されたウェブＷの異物Ｆの量の測定値が所定値よりも高い場合、警報装置５６を駆動する。そして、警報装置５６が警告を発する。この際、作業員は、パーティクルカウンタ５０により測定された異物Ｆの量としての測定値を確認し、走行しているウェブＷを交換することなく、給気装置２１から供給される空気Ａ１の流量を増しても良い。これにより、搬送ライン１を停止することなく、ウェブＷ上から除去される異物Ｆの量を増やし、ウェブＷの品質の安定化を図ることができる。このため、生産性を向上させることができる。また、作業員は、パーティクルカウンタ５０により測定された異物Ｆの量としての測定値によっては、異物Ｆの付着量が多いウェブＷを新しいウェブに交換しても良い。
【００４９】
このように、本実施の形態によれば、制御装置５５は、パーティクルカウンタ５０により測定されたウェブＷの異物Ｆの量の測定値が所定値よりも高い場合、ウェブＷの走行を停止することなく、警報装置５６を駆動し、警報装置５６が警告を発する。これにより、搬送ライン１を停止することなく、例えば給気装置２１から供給される空気Ａ１の流量を増すことにより、ウェブＷ上から除去される異物Ｆの量を増やし、ウェブＷの品質の安定化を図ることができる。このため、生産性を向上させることができる。
【００５０】
なお、本実施の形態においては、制御装置５５が警報装置５６を駆動する例について説明したが、これに限られることはない。例えば、制御装置５５が図示しないプリンタ等を駆動することにより、ウェブＷのうち異物Ｆの付着量が多い部分にマーキングを施しても良い。この場合、作業者がその後の工程においてマーキングされた部分、すなわちウェブＷのうち異物Ｆの付着量が多い部分を取り除くことにより、ウェブＷの品質の安定化を図ることもできる。
【００５１】
上記各実施の形態に開示されている複数の構成要素を必要に応じて適宜組合せることも可能である。あるいは、上記各実施の形態に示される全構成要素から幾つかの構成要素を削除してもよい。
【符号の説明】
【００５２】
２      ガイドロール
１０    ウェブクリーナー
１０Ａ  ウェブクリーナーシステム
１１    支持体
２０    給気ライン
２３    給気部
３０    排出ライン
３１    吸引部
３４    曲がり部
３５    チューブ
５０    パーティクルカウンタ
５５    制御装置
５６    警報装置
Ａ１    空気
Ｆ      異物
Ｗ      ウェブ
【図１】
2019000797.tif 000003
【図２】
2019000797.tif 000004
【図３】
2019000797.tif 000005
【図４】
2019000797.tif 000006
【図５】
2019000797.tif 000007
【図６】
2019000797.tif 000008